(57)【要約】【課題】  デジタル放送受信装置が設置された個別の環境に応じて発生する受信障害を解消するための設定は、プログラムダウンロードによって書き換えられてしまうという課題があった。【解決手段】  デジタル放送を受信し、選局した信号に対して、復調及び誤り訂正を施した多重化データから、映像情報、音声情報及び制御情報を抽出するデジタル放送受信装置に、前記制御情報に基づいて、受信装置の更新すべきプログラムデータを取得するダウンロードデータ取得部と、前記復調及び誤り訂正に対する受信障害対策のためのデータを設定する設定部と、第１格納領域と、第２格納領域とを有する記憶部と、前記プログラムデータを第１の格納領域に記憶させ、受信障害対策のためのデータを第２の格納領域に記憶させる制御部とを備える。【選択図】  図１
2010166192.tif 000002
【特許請求の範囲】
【請求項１】
デジタル放送を受信し、選局した信号に対して、復調及び誤り訂正を施した多重化データから、映像情報、音声情報及び制御情報を抽出するデジタル放送受信装置であって、前記制御情報に基づく受信装置のプログラムデータが記憶されたプログラムデータ格納領域と前記復調及び誤り訂正に対する受信障害対策のためのデータが記憶された受信障害対策データ格納領域とを有する記憶部を備えたデジタル放送受信装置における受信設定方法であって、
受信装置の更新すべきプログラムデータを取得するダウンロードステップと、
前記ダウンロードステップで取得された更新すべきプログラムデータをプログラムデータ格納領域に記憶させる記憶ステップと、
前記記憶ステップで記憶されたプログラムデータを実行して受信装置を起動させる起動ステップと、
起動ステップで起動された受信装置で、前記受信障害対策データ格納領域に記憶された前記受信障害対策のためのデータを取得する取得ステップと、
前記取得ステップで取得されたデータに基づき、復調・誤り訂正の設定を行う設定ステップを有することを特徴とするデジタル放送受信装置における受信設定方法。
【請求項２】
前記受信障害対策のためのデータに基づく復調・誤り訂正の設定を選局した信号ごとに行うことを特徴とする請求項１に記載のデジタル放送受信装置における受信設定方法。
【請求項３】
前記ダウンロードステップで取得されたプログラムデータで受信障害対策のためのデータが指定されている場合は、前記設定ステップでの設定を前記指定されたデータに基づき再設定する再設定ステップを有することを特徴とする請求項１に記載のデジタル放送受信装置における受信設定方法。
【請求項４】
デジタル放送を受信し、選局した信号に対して、復調及び誤り訂正を施した多重化データから、映像情報、音声情報及び制御情報を抽出するデジタル放送受信装置であって、
前記制御情報に基づいて、受信装置の更新すべきプログラムデータを取得するダウンロードデータ取得部と、
前記復調及び誤り訂正に対する受信障害対策のためのデータを設定する設定部と、
第１格納領域と、第２格納領域とを有する記憶部と、
前記プログラムデータを第１の格納領域に記憶させ、受信障害対策のためのデータを第２の格納領域に記憶させる制御部とを備えることを特徴とするデジタル放送受信装置。
【請求項５】
前記映像情報を出力する出力部をさらに備え、
前記制御部は、受信障害対策のためのデータを設定するための設定画面を前記出力部で出力させることを特徴とする請求項４に記載のデジタル放送受信装置。
【請求項６】
前記制御部は、前記設定画面において、前記復調・誤り訂正のためのレジスタアドレスを入力する第１入力列と、前記レジスタアドレスに設定する受信障害対策のためのデータを入力する第２入力列と、前記１入力列に入力されたレジスタアドレスと第２入力列に入力された設定データとを前記記憶部の第２格納領域に書き込むための書き込みボタンと表示させることを特徴とする請求項５に記載のデジタル放送受信装置。
【発明の詳細な説明】
【技術分野】
【０００１】
本発明は、個別の環境に応じて発生する受信障害を解消する受信設定が可能なデジタル放送受信装置及びデジタル放送受信装置における受信設定方法に関する。
【背景技術】
【０００２】
近年、世界的にテレビ放送のアナログ方式からデジタル方式への移行が推進されており、各国で地上デジタル放送が開始されている。日本における地上デジタル放送方式は、直交周波数分割多重（ＯＦＤＭ：Orthogonal Frequency Division Multiplexing）方式が用いられ、ＩＳＤＢ−Ｔ（Integrated Service Digital Broadcasting -Terrestrial）規格として運用されている。また、日本における衛星デジタル放送方式は、８ＰＳＫ(Phase Shift Keying)やＱＰＳＫ(Quadrature Phase Shift Keying)変調が用いられ、ＩＳＤＢ−Ｓ（Integrated Service Digital Broadcasting -Satellite）規格として運用されている。
【０００３】
特に、地上デジタル放送においては、送信局から遠い場所での受信環境における弱電界受信や、ガードインターバル長を超え遅延波が存在するマルチパス受信環境など、受信性能を劣化させる要因が多く存在する。
【０００４】
これらの受信性能劣化要因に対して、受信性能を改善するために検知情報と制御情報を関係づけるデジタル放送受信部の設定パラメータテーブルを自動的に作成できる、対応関係情報作成システム、受信装置、および特性制御関係情報作成方法等を提供する手段が開示されている。（例えば、特許文献１）
また、これらのデジタル放送を受信するデジタル放送受信装置では、装置の制御プログラムに不具合が存在する場合や、受信性能を向上させるために、放送波による制御プログラムのダウンロード機能が提供されている。（例えば、非特許文献１）
【特許文献１】特開２００８−１９９１２７号公報
【非特許文献１】「デジタル放送用受信装置  標準規格（望ましい仕様）ＡＲＩＢ  ＳＴＤ−Ｂ２１  ４．６版」財団法人電波産業会、平成１１年１０月２６日策定、平成１９年３月１４日４．６版改定
【発明の開示】
【発明が解決しようとする課題】
【０００５】
しかしながら、上記の従来技術によれば、設置されている受信環境固有で発生する受信障害を解消するために、最適な受信設定パラメータを設定できる機能を受信装置が備える場合、前記プログラムダウンロード機能によって、受信障害対策用設定データが上書きされてしまい、受信機固有の設定値が無効となってしまうという課題があった。
【０００６】
本発明はこのような状況に鑑みてなされたものであり、本発明の目的は、デジタル放送受信装置が設置された個別の環境に応じて発生する受信障害を解消するための復調・誤り訂正部に対する受信障害対策用設定データを設定でき、前記受信障害対策用設定データがプログラムダウンロードによっても書き換えられない受信障害対策を行うことを可能にするデジタル放送受信装置を提供することにある。
【課題を解決するための手段】
【０００７】
上記目的を達成するために、デジタル放送を受信し、選局した信号に対して、復調及び誤り訂正を施した多重化データから、映像情報、音声情報及び制御情報を抽出するデジタル放送受信装置であって、前記制御情報に基づく受信装置のプログラムデータが記憶されたプログラムデータ格納領域と前記復調及び誤り訂正に対する受信障害対策のためのデータが記憶された受信障害対策データ格納領域とを有する記憶部を備えたデジタル放送受信装置における受信設定方法であって、受信装置の更新すべきプログラムデータを取得するダウンロードステップと、前記ダウンロードステップで取得された更新すべきプログラムデータをプログラムデータ格納領域に記憶させる記憶ステップと、前記記憶ステップで記憶されたプログラムデータを実行して受信装置を起動させる起動ステップと、起動ステップで起動された受信装置で、前記受信障害対策データ格納領域に記憶された前記受信障害対策のためのデータを取得する取得ステップと、前記取得ステップで取得されたデータに基づき、復調・誤り訂正の設定を行う設定ステップを有するデジタル放送受信装置における受信設定方法とする。
【０００８】
また、上記受信設定方法を行うために、デジタル放送を受信し、選局した信号に対して、復調及び誤り訂正を施した多重化データから、映像情報、音声情報及び制御情報を抽出するデジタル放送受信装置であって、前記制御情報に基づいて、受信装置の更新すべきプログラムデータを取得するダウンロードデータ取得部と、前記復調及び誤り訂正に対する受信障害対策のためのデータを設定する設定部と、第１格納領域と、第２格納領域とを有する記憶部と、前記プログラムデータを第１の格納領域に記憶させ、受信障害対策のためのデータを第２の格納領域に記憶させる制御手段とを備えることを特徴とするデジタル放送受信装置とする。
【発明の効果】
【０００９】
デジタル放送受信装置が設置された個別の環境に応じて発生する受信障害を解消するための復調・誤り訂正部に対する受信障害対策用設定データを設定でき、前記受信障害対策用設定データがプログラムダウンロードによっても書き換えられない受信障害対策を行うことを可能にするデジタル放送受信装置を提供することができる。
【発明を実施するための最良の形態】
【００１０】
以下、本発明を実施するための最良の形態について図面を参照して詳述する。なお、図面において、同一符号は、同一または相当部分を示す。また、本発明は、図示例に限定されるものではない。
【実施例１】
【００１１】
以下、本発明の第１の実施形態について、図１乃至図７を参照して詳述する。
【００１２】
図１は、本発明の実施形態に係るデジタル放送受信装置の構成を示すブロック図である。図１において、デジタル放送受信装置１００は、選局部１１０と、復調・誤り訂正部１２０と、デマルチプレクサ１３０と、音声デコーダ１４０と、映像デコーダ１５０と、映像信号合成部１６０と、音声信号出力部１７０と、映像信号出力部１８０と、ダウンロードデータ取得部１９０と、制御部２００と、制御バス２１０と、プログラム格納領域プログラム格納領域２２１と設定データ格納領域２２２を備える不揮発性メモリ２２０と、ＯＳＤ信号生成部２３０と、リモコン受光部２４０と、外部記録媒体I/F部２６０と、ネットワークI/F部２７０と、を備える。
【００１３】
このデジタル放送受信装置１００では、例えば、放送局から送信された放送波信号を受信する受信アンテナ１０１を接続することにより、受信アンテナ１０１によって受信した放送波信号がデジタル放送受信装置１００の入力として供給される。
【００１４】
選局部１１０は、受信アンテナ１０１により受信した放送波信号の内、所望の物理チャンネルを選局して中間周波数信号に周波数変換し、その中間周波数信号を復調・誤り訂正部１２０に供給する。この選局部１１０での選局動作は制御部２００により制御バス２１０を介して制御される。ここでの制御とは、選局部１１０で選局する物理チャンネルの周波数を設定することを意味する。
【００１５】
復調・誤り訂正部１２０は、供給された中間周波数信号に対してデジタル復調及び誤り訂正処理を施し、ＭＰＥＧ−２トランスポートストリーム（MPEG-2 Transport Stream、以下、ＴＳとする）を出力する。復調・誤り訂正部１２０から出力されたＴＳはデマルチプレクサ１３０に供給される。
【００１６】
また、復調・誤り訂正部１２０では、選局部１１０で選局された物理チャンネルの放送波信号を復調及び誤り訂正した時の受信品質情報を検出することが可能である。ここで受信品質情報とは、復調・誤り訂正部で復調処理を行なう際に検出される搬送波電力対雑音電力比（ＣＮＲ（Carrier to Noise Ratio））、信号電力対雑音電力比（ＳＮＲ（Signal to Noise Ratio））、変調誤差比（ＭＥＲ（Modulation Error Ratio））や、誤り訂正処理を行なう際に検出されるデータ誤り率などが挙げられる。更に、選局部１１０で選局された物理チャンネルの放送波信号が、畳み込み符号による内符号とリードソロモン符号による外符号との連接符号化方式が採用されているデジタル放送方式で運用されている場合、前述のデータ誤り率は、ビタビ復号処理におけるビタビ復号後ビット誤り率（ＢＥＲ（Bit Error Rate））と、リードソロモン復号処理におけるリードソロモン復号後パケット誤り率（ＰＥＲ（Packet Error Rate））などを検出することが可能である。但し、本発明に係るデジタル放送受信装置においては、これらの受信品質情報に限定されるものではない。
【００１７】
復調・誤り訂正部１２０での信号処理に関する制御は制御部２００により制御バス２１０を介して制御される。ここでの制御とは、復調・誤り訂正部１２０の信号処理に関するパラメータを設定することを意味する。また、制御部２００は、復調・誤り訂正部１２０において検出した受信品質情報を、制御バス２１０を介して取得することが可能である。
【００１８】
制御バス２１０ではＩ２Ｃプロトコルによる通信を用いることが一般的であるが、本発明に係るデジタル放送受信装置においては、これに限定されるものではない。また、制御部２００から選局部１１０に至る制御バス２１０について、図１に図示していない構成として、復調・誤り訂正部１２０の内部に設けたＯＮ／ＯＦＦスイッチを経由する構成や、復調・誤り訂正部１２０からデータ転送する構成としても良い。
【００１９】
デマルチプレクサ１３０は、供給されたＴＳ信号を映像／音声／データの各コンポーネント信号に多重分離する。多重分離されたデータコンポーネント信号に含まれる伝送制御情報（ＰＳＩ：Program Specification Information）と番組配列情報（ＳＩ：Service Information）とＳＤＴＴ（Software Download Trigger Table）は、制御部２００に供給される。
【００２０】
ここで、デマルチプレクサ１３０に供給されるＴＳ信号には一般的に複数の番組が多重されており、番組を構成するための映像コンポーネント信号と音声コンポーネント信号などを指定するパケットＩＤ（以下、ＰＩＤとする）がＰＳＩとＳＩに記述されている。制御部２００は、ＰＳＩとＳＩに記述された情報を元に、任意の番組を構成する映像コンポーネント信号のＰＩＤと音声コンポーネント信号のＰＩＤをデマルチプレクサ１３０に対して指定する。デマルチプレクサ１３０は、制御部２００により指定されたＰＩＤの映像コンポーネント信号を映像デコーダ１５０に供給し、制御部２００により指定されたＰＩＤの音声コンポーネント信号を音声デコーダ１４０に供給する。
【００２１】
また、制御部２００はデマルチプレクサ１３０から供給されたＰＳＩとＳＩとＳＤＴＴに記述された情報を元に、受信装置１００のソフトウェアを更新するためのデータが伝送されているＰＩＤをデマルチプレクサ１３０に対して指定する。デマルチプレクサ１３０は、制御部２００により指定されたＰＩＤを持つデータパケットをダウンロードデータ取得部１９０に供給する。ダウンロードデータ取得部１９０は、供給されたデータパケットから受信装置１００のソフトウェアデータを取得し、制御部２００に供給する。ここで、ダウンロードデータ取得部１９０は、制御部２００により制御される。
【００２２】
映像デコーダ１５０は、供給された映像コンポーネント信号を復号し、映像信号に変換する。映像デコーダ１５０で変換された映像信号は映像信号合成部１６０に供給される。また、ＯＳＤ信号生成部２３０では、ＥＰＧ（Electronic Program Guide）やデジタル放送受信装置１００の各種設定画面など、いわゆるＯＳＤ（On Screen Display）表示信号を生成し、映像信号合成部１６０に供給する。ここで、ＯＳＤ信号生成部２３０は制御部２００によって制御され、ＯＳＤ表示信号を生成する。映像信号合成部１６０では、映像デコーダ１５０から供給された映像信号と、ＯＳＤ信号生成部２３０から供給されたＯＳＤ表示信号とを合成し、映像・ＯＳＤ合成信号を映像信号出力部１８０に供給する。映像信号出力部１８０は、例えば液晶ディスプレイなどの表示デバイスや外部への映像出力端子であり、供給された映像・ＯＳＤ合成信号をデジタル放送受信装置１００の映像出力として表示または出力させる。
【００２３】
音声デコーダ１４０は、供給された音声コンポーネント信号を復号し、音声信号に変換する。次に、音声デコーダ１４０で変換された音声信号は音声出力部１７０に供給される。音声出力部１７０は、例えばスピーカなどの音声出力デバイスや外部への音声出力端子であり、供給された音声信号をデジタル放送受信装置１００の音声出力として外部に出力する。
【００２４】
なお、図１には図示していないが、映像デコーダ１５０及び音声デコーダ１４０でのデコード処理の開始や停止などは制御部２００によって制御される。
【００２５】
リモコン２５０は、デジタル放送受信装置１００に対して選局指示、各種設定指示、ＯＳＤ表示におけるカーソル移動指示などを行うデバイスであり、リモコン２５０に備えられたキーを押すことにより操作を行う。ここで図面には図示していないが、リモコン２５０には電源ＯＮ／ＯＦＦキー、上下チャンネル選局キー、数字入力キー、上下左右選択キー、決定キー、キャンセルキーなどを備える。リモコン２５０は、前述したキーを押すことにより、そのキーに対応した光信号（例えば、赤外線信号）を生成し、リモコン２５０から送出する。リモコン受光部２４０は、リモコン２５０から送出された光信号を受光し、受光した光信号に対応するリモコンコード信号に変換して制御部２００に供給する。ここで、本発明に係るデジタル放送受信装置においては、リモコン２５０から送出される信号は、赤外線信号などの光信号に限定されるものではなく、種々のリモコン伝送方式を用いても良い。
【００２６】
また、デジタル放送受信装置１００に電源ＯＮ／ＯＦＦキー、上下チャンネル選局キー、数字入力キー、上下左右選択キー、決定キー、キャンセルキーに対応した入力ボタンを備えることにより、リモコン２５０を使用せずに同様の操作を行うことも可能である。
【００２７】
外部記録媒体Ｉ／Ｆ部２６０は、ＳＤカードやＵＳＢ（Universal Serial Bus）メモリなどの記録媒体２７０とのインターフェースであり、外部記録媒体へのデータの書き込みと、外部記録媒体からのデータの読み出しを行う。外部記録媒体Ｉ／Ｆ部２６０でのデータ書き込みと読み出しは制御部２００によって制御される。
【００２８】
ネットワークＩ／Ｆ部２８０は、ＬＡＮ(Local Area Network)などのネットワークとの接続インターフェースであり、外部機器や外部サーバーとのデータ通信が可能である。ネットワークＩ／Ｆ部２８０でのデータ通信は制御部２００によって制御される。
【００２９】
制御部２００は、供給されたリモコンコード信号に応じて、電源のＯＮ／ＯＦＦ、チャンネル選局処理、ＥＰＧやデジタル放送受信装置１００の各種設定画面の起動指示、前記ＥＰＧや各種設定画面上でのカーソル移動と設定値入力などの処理を実行する。また、これらの処理を実行するために、制御部２００は、選局部１１０と復調・誤り訂正部１２０とデマルチプレクサ１３０と、音声デコーダ１４０と、映像デコーダ１５０と、ダウンロードデータ取得部１９０と、ＯＳＤ信号生成部２３０と、外部記録媒体Ｉ／Ｆ部２６０と、ネットワークＩ／Ｆ部２８０と、を制御する。
【００３０】
更に制御部２００は、復調・誤り訂正部１２０で検出した受信品質情報を取得し、デマルチプレクサ１３０で多重分離されたＰＳＩ／ＳＩ／ＳＤＴＴを取得し、ダウンロードデータ取得部１９０で取得したダウンロードデータを取得し、リモコン受光部で変換されたリモコンコードを取得する。また、制御部２００は不揮発性メモリ２２０へのデータの書き込みと読み出しを制御し、前述した受信品質情報と、ＰＳＩ／ＳＩ／ＳＤＴＴと、ダウンロードデータと、外部記録媒体２７０から読み出したデータと、ネットワークＩ／Ｆ部２８０を通してネットワーク経由で取得したデータと、を不揮発性メモリ２２０に書き込みまたは読み出しを行うことができる。
【００３１】
以下、本発明の実施形態に係るデジタル放送受信装置における、動作用プログラム起動方法と、ダウンロードデータ格納方法を、図２を参照して説明する。
【００３２】
図２は、本発明の実施形態に係るデジタル放送受信装置における不揮発性メモリの記憶領域を模式的に表した説明図である。図２において、不揮発性メモリ２２０は、ブート用プログラム格納領域２２１と、第1のプログラム格納領域２２２と、第2のプログラム格納領域２２３と、設定データ格納領域２２４と、を備える。
【００３３】
ブート用プログラム格納領域２２１は、デジタル放送受信装置１００の起動用プログラムが格納される領域であり、制御部２００によって書き換えられない領域である。一方、第１のプログラム格納領域２２２及び第2のプログラム格納領域２２３は、デジタル放送受信装置１００の動作用プログラムまたはダウンロードデータが格納される領域であり、制御部２００によって書き換えられる領域である。また、設定データ格納領域２２４は、デジタル放送受信装置１００の各種設定や、復調・誤り訂正部１２０の設定パラメータが格納される領域であり、制御部２００によって書き換えられる領域である。
【００３４】
ブート用プログラム格納領域２２１に格納された起動用プログラムは、起動時に第1のプログラム格納領域２２２に格納されたプログラムと、第2のプログラム格納領域２２３に格納されたプログラムとから、どちらか一方のプログラムを選択して起動させる機能を備えている。
【００３５】
例えば、製品出荷時には、第１のプログラム格納領域２２２にデジタル放送受信装置１００の動作用プログラムが格納されており、第２のプログラム格納領域２２３には何も格納されていない。この場合においてデジタル放送受信装置１００が起動されると、制御部２００は、ブート用プログラム格納領域２２１に格納された起動用プログラムを実行する。次に起動用プログラムは第１のプログラム格納領域２２２と第２のプログラム格納領域２２３に格納されている動作プログラムとを比較し、新しいバージョンが格納されているプログラム格納領域の先頭アドレスを制御部２００に通知する。この場合、第１のプログラム格納領域２２２の先頭アドレスが通知される。次に制御部２００は、通知された先頭アドレスからプログラムを実行する。従って、第１のプログラム格納領域２２２に格納された動作用プログラムが実行され、デジタル放送受信装置１００が動作する。
【００３６】
さらに、デジタル放送受信装置１００が第１のプログラム格納領域２２２に格納された動作用プログラムで動作している場合、制御部２００にダウンロードデータが供給されると、制御部２００は供給されたダウンロードデータを第２のプログラム格納領域２２３に格納する。そして、デジタル放送受信装置１００が再起動された場合に制御部２００は、ブート用プログラム格納領域２２１に格納された起動用プログラムを実行する。次に起動用プログラムは第１のプログラム格納領域２２２と第２のプログラム格納領域２２３に格納されている動作プログラムとを比較し、新しいバージョンが格納されているプログラム格納領域の先頭アドレスを制御部２００に通知する。この場合、第２のプログラム格納領域２２３の先頭アドレスが通知される。次に制御部２００は、通知された先頭アドレスからプログラムを実行する。従って、第２のプログラム格納領域２２３に格納された動作用プログラムが実行され、デジタル放送受信装置１００が動作する。
【００３７】
さらに、デジタル放送受信装置１００が第２のプログラム格納領域２２３に格納された動作用プログラムで動作している場合、制御部２００にダウンロードデータが供給されると、制御部２００は供給されたダウンロードデータを第１のプログラム格納領域２２２に格納する。そして、デジタル放送受信装置１００が再起動された場合に制御部２００は、ブート用プログラム格納領域２２１に格納された起動用プログラムを実行する。次に起動用プログラムは第１のプログラム格納領域２２２と第２のプログラム格納領域２２３に格納されている動作プログラムとを比較し、新しいバージョンが格納されているプログラム格納領域の先頭アドレスを制御部２００に通知する。この場合、第１のプログラム格納領域２２２の先頭アドレスが通知される。次に制御部２００は、通知された先頭アドレスからプログラムを実行する。従って、第１のプログラム格納領域２２２に格納された動作用プログラムが実行され、デジタル放送受信装置１００が動作する。
【００３８】
以後、制御部２００がダウンロードデータを取得すると、上述した動作を繰り返すこととなる。
【００３９】
以下、本発明の実施形態に係るデジタル放送受信装置における、受信機固有の受信障害対策設定方法について、図３及至図６を参照して詳述する。
【００４０】
図３及至図６は、本発明の実施形態に係るデジタル放送受信装置における受信障害対策設定画面の一例を示した図であり、制御部２００で制御されたＯＳＤ信号生成部２３０によってＯＳＤ表示信号が生成され、映像出力部１８０により表示される。
【００４１】
図３及至図６において、受信障害対策設定画面３００には、デバイス選択表示３０１と、項番列３０２と、レジスタアドレス列３０３と、設定データ列３０４と、設定データ送信ボタン列３０５と、設定データ受信ボタン列３０６と、設定削除ボタン列３０７と、全設定データ書き込みボタン３１１と、全設定データ読み出しボタン３１２と、が図３に示すように配置されている。
【００４２】
また、レジスタアドレス列３０３と、設定データ列３０４と、設定データ送信ボタン列３０５と、設定データ受信ボタン列３０６と、設定削除ボタン列３０７と、全設定データ書き込みボタン３１１と、全設定データ読み出しボタン３１２のうち、どれか一つを選択するカーソルが存在する。
【００４３】
この受信障害対策設定画面３００において、カーソルの移動はリモコン２５０の上下左右キーによって制御部２００に対して指示され、レジスタアドレス列３０３及び設定データ列３０４でのデータ入力はリモコン２５０の数字入力キーによって制御部２００に対して指示され、設定データ送信ボタン列３０５と設定データ受信ボタン列３０６と設定削除ボタン列３０７と全設定データ書き込みボタン３１１と全設定データ読み出しボタン３１２はリモコン２５０の決定キーにより制御部２００に対して指示される。制御部２００はリモコン２５０から指示された内容に従って、ＯＳＤ信号生成部２３０と、復調・誤り訂正部１２０と、不揮発性メモリ２２０への設定データ書き込みと、不揮発性メモリ２２０からの設定データの読み出しを制御する。
【００４４】
この受信障害対策設定画面３００の起動は、リモコン２５０の操作により、デジタル放送受信装置１００のユーザーが行うことも可能であるが、本実施の形態におけるデジタル放送受信装置１００では、特別なリモコンコードやパスワードなどにより、起動を制限させることを想定している。
【００４５】
また、受信障害対策設定画面３００においてデバイス選択表示３０１は、設定対象となるデバイスの種類を明示するための表示であり、図３及至図６では復調・誤り訂正部１２０が設定対象であることを示している。
【００４６】
まず初めに、個別設定データを復調・誤り訂正部１２０に一時的に適用する場合の動作について、図３を参照して説明する。項番列３０２のＮｏ．１行において、リモコン２５０の数字入力キーによってレジスタアドレス“０ｘ００”と設定データ“０ｘ０８”を入力する。図３は既に入力された状態を示している。次にカーソルを個別設定データ送信ボタン３０８に合わせて決定キーを押すことにより、制御部２００は復調・誤り訂正部１２０のレジスタアドレス“０ｘ００”にデータ“０ｘ０８”を書き込む。ここで設定されるデータは、デジタル放送受信装置１００が設置された個別の環境に応じて発生する受信障害を解消するための設定データである。この動作により、デジタル放送受信装置１００の映像信号出力部１８０に出力される映像信号や、復調・誤り訂正部１２０によって検出される受信品質情報によって、受信障害対策の有効性を確認することが可能である。
【００４７】
次に、復調・誤り訂正部１２０から個別設定データを取得する場合の動作について、図４及び図５を参照して説明する。項番列３０２のＮｏ．２行において、リモコン２５０の数字入力キーによってレジスタアドレス“０ｘ６７”を入力する。図４は既に入力された状態を示している。次にカーソルを個別設定データ受信ボタン３０９に合わせて決定キーを押すことにより、制御部２００は、復調・誤り訂正部１２０のレジスタアドレス“０ｘ６７”から設定データを取得し、図５に示すように取得したデータを設定データ列３０４のＮｏ．３行に表示する。図５では復調・誤り訂正部１２０のレジスタアドレス“０ｘ６７”に設定されているデータが“０ｘ８０”の場合を示している。
【００４８】
次に、受信障害対策用設定データを不揮発性メモリ２２０に書き込む場合の動作について、図５を参照して説明する。図５では、項番列３０２のＮｏ．１行においてレジスタアドレス“０ｘ００”と設定データ“０ｘ０８”が入力され、項番列３０２のＮｏ．２行においてレジスタアドレス“０ｘ６７”と設定データ“０ｘ８０”が入力されている状態である。次にカーソルを全設定データ書き込みボタン３１１に合わせて決定キーを押すことにより、制御部２００は、復調・誤り訂正部１２０に対する受信障害対策用設定データとして、レジスタアドレス“０ｘ００”と設定データ“０ｘ０８”、レジスタアドレス“０ｘ６７”と設定データ“０ｘ８０”の二組のデータを不揮発性メモリ２２０の設定データ格納領域２２４に書き込む。ここで設定される受信障害対策用設定データは、デジタル放送受信装置１００が設置された個別の環境に応じて発生する受信障害を解消するための受信障害対策用設定データである。
【００４９】
次に、不揮発性メモリ２２０から受信障害対策用設定データを読み出す場合の動作について、図６を参照して説明する。復調・誤り訂正部１２０に対する受信障害対策用設定データとして、レジスタアドレス“０ｘ００”と設定データ“０ｘ０８”、レジスタアドレス“０ｘ６７”と設定データ“０ｘ８０”、 レジスタアドレス“０ｘ７５”と設定データ“０ｘＣ２”、の三組のデータが不揮発性メモリ２２０の設定データ格納領域２２４に書き込まれている場合において、カーソルを全設定データ読み出しボタン３１２に合わせて決定キーを押すことにより、制御部２００は上述した三組のデータを不揮発性メモリ２２０の設定データ格納領域２２４から読み出し、図６に示すように表示する。
【００５０】
次に、個別設定データを削除する場合の動作について、図５及び図６を参照して説明する。図６は不揮発性メモリ２２０の設定データ格納領域２２４に書き込まれている受信障害対策用設定データを読み出した後の表示で、復調・誤り訂正部１２０に対する受信障害対策用設定データとして、レジスタアドレス“０ｘ００”と設定データ“０ｘ０８”、レジスタアドレス“０ｘ６７”と設定データ“０ｘ８０”、 レジスタアドレス“０ｘ７５”と設定データ“０ｘＣ２”、の三組のデータが不揮発性メモリ２２０の設定データ格納領域２２４に書き込まれていることを示している。この場合において、カーソルを個別設定削除ボタン３１０に合わせて決定キーを押すことにより、制御部２００は図５に示すように表示させる。ここで、カーソルを全設定データ書き込みボタン３１１に合わせて決定キーを押すと、制御部２００は、復調・誤り訂正部１２０に対する受信障害対策用設定データとして、レジスタアドレス“０ｘ００”と設定データ“０ｘ０８”、レジスタアドレス“０ｘ６７”と設定データ“０ｘ８０”の二組のデータを不揮発性メモリ２２０の設定データ格納領域２２４に書き込み、レジスタアドレス“０ｘ７５”と設定データ“０ｘＣ２”の一組は削除される。
【００５１】
以上、本発明の実施形態に係るデジタル放送受信装置における受信機固有の受信障害対策設定方法について、リモコン２５０の操作による設定方法を説明した。その他の設定方法として、受信障害対策用データを格納した外部記憶媒体２６０を外部記憶媒体Ｉ／Ｆ部に挿入して、制御部２００が受信障害対策用データを不揮発性メモリ２２０へ転送する方法も可能である。さらに、ネットワークＩ／Ｆ部２８０とパソコンまたはインターネット回線を接続し、受信障害対策用データをデータ通信によって取得し、不揮発性メモリ２２０に書き込む方法も可能である。
【００５２】
以上のように構成されたデジタル放送受信装置において、電源起動時に行う復調・誤り訂正部１２０の初期化処理手順と初期化後の選局手順について、図７を参照して説明する。
【００５３】
図７は、本発明の第１の実施形態に係るデジタル放送受信装置において、電源起動時に行う復調・誤り訂正部１２０の初期化処理手順と初期化後の選局手順を説明するためのフローチャートである。
【００５４】
まず、ステップＳ４００においてデジタル放送受信装置１００の電源が起動されると、制御部２００においてブート用プログラムが実行され、第１のプログラム格納領域または第２のプログラム格納領域に格納されている動作用プログラムが実行される。この動作用プログラムによって、デジタル放送受信装置１００の動作が開始され、ステップＳ４０１に進む。以下では、第１のプログラム格納領域に格納されている動作用プログラム（以下、第１の動作プログラム）で動作しているものとして説明する。
【００５５】
ステップＳ４０１において制御部２００は、復調・誤り訂正部１２０のレジスタの初期値を設定し、ステップＳ４０２に進む。ステップＳ４０１において復調・誤り訂正部１２０に設定する初期値は、復調・誤り訂正部１２０がハードウェアリセットなどによって自動的に設定されるレジスタ初期値と、第１の動作プログラムで記述された復調・誤り訂正部１２０に対する初期値を意味する。ここでは、「レジスタアドレス“０ｘ００”に対して設定データ“０ｘ０４”」と、「レジスタアドレス“０ｘ６７”に対して設定データ“０ｘ２０”」と、「レジスタアドレス“０ｘ７５”に対して設定データ“０ｘＣ２”」の三組の初期値が設定されるものとする。
【００５６】
ステップＳ４０２において制御部２００は、不揮発性メモリ２２０の設定データ格納領域２２４に、受信障害対策用設定データが存在するか否かを判定し、存在する場合はステップＳ４０３に進み、存在しない場合はステップＳ４０６に進む。
【００５７】
ステップＳ４０３において制御部２００は、不揮発性メモリ２２０の設定データ格納領域２２４から受信障害対策用設定データを取得し、ステップＳ４０４に進む。ステップＳ４０４において制御部２００は、前記受信障害対策用設定データを復調・誤り訂正部１２０のレジスタに設定し、ステップＳ４０６に進む。このステップＳ４０４により、ステップＳ４０１で設定された復調・誤り訂正部１２０の初期値に対して上書きすることとなる。ここでは、受信障害対策用設定データが「レジスタアドレス“０ｘ００”に対して設定データ“０ｘ０８”」と、「レジスタアドレス“０ｘ６７”に対して設定データ“０ｘ８０”」の二組であったとする。
【００５８】
ここまでのステップにより、復調・誤り訂正部１２０には、「レジスタアドレス“０ｘ００”に対して設定データ“０ｘ０８”」と、「レジスタアドレス“０ｘ６７”に対して設定データ“０ｘ８０”」と、「レジスタアドレス“０ｘ７５”に対して設定データ“０ｘＣ２”」の三組のデータが設定されていることとなる。
【００５９】
次に、ステップＳ４０６において制御部２００は、所望の物理チャンネルに応じた選局データを選局部１１０に対して設定し、ステップＳ４０７に進む。ステップＳ４０７において制御部２００は、復調・誤り訂正部１２０に対して復調処理を開始するための復調リセット処理を実行し、ステップＳ４０８に進む。ステップＳ４０８において制御部２００はデマルチプレクサ１３０に対して映像と音声のＰＩＤを指示し、映像デコーダ１５０と音声デコーダ１４０でのデコードを開始させる。そして、次にチャンネルアップやチャンネルダウンなどの選局指示があった場合には、制御部２００はステップＳ４０６から処理を開始する。
【００６０】
以上のように、本発明の第１の実施形態に係るデジタル放送受信装置では、デジタル放送受信装置が設置された個別の環境に応じて発生する受信障害を解消するための復調・誤り訂正部に対する受信障害対策用設定データを設定でき、プログラムダウンロードによっても書き換えられない受信障害対策を行うことを可能にするデジタル放送受信装置を提供することができる。
【００６１】
本発明の実施形態に係るデジタル放送受信装置では、選局部１１０と復調・誤り訂正部１２０の組み合わせを１系統備える形態について説明したが、選局部１１０と復調・誤り訂正部１２０の組み合わせをそれぞれ複数系統備える構成としても、同様の効果を得ることが可能である。
【００６２】
例えば、地上波デジタル放送用の選局部と地上波デジタル放送用の復調・誤り訂正部の組み合わせをそれぞれ２系統備えると共に、衛星デジタル放送用の選局部と衛星デジタル放送用の復調・誤り訂正部の組み合わせをそれぞれ２系統備える構成（4系統受信構成とする）としても良い。この4系統受信構成の場合、図３及至図６で説明した受信障害対策用設定画面３００について、４系統の復調・誤り訂正部に対応する受信障害対策用設定画面３００を設け、受信障害対策用設定画面３００の起動時に４系統の内の一つを選択する構成とし、４系統の復調・誤り訂正部に対応する受信障害対策用データを、不揮発性メモリ２２０の設定データ格納領域２２４に個別に格納するように動作すればよい。また、この4系統受信構成の場合、デバイス選択表示３０１に前記選択した復調・誤り訂正部の種類を、「第1の地上波デジタル放送用復調・誤り訂正部」や「第２の衛星デジタル放送用復調・誤り訂正部」などのように明示するよう動作してもよい。
【００６３】
さらにこの4系統受信構成を備えたデジタル放送受信装置において、電源起動時に行う復調・誤り訂正部の初期化処理手順は、ステップＳ４０１からステップS４０４の動作を、各受信系統の選局部と復調・誤り訂正部に対して行うよう制御すればよい。
【実施例２】
【００６４】
以下、本発明の第２の実施形態について、図１乃至図６と図８及至図９を参照して詳述する。本発明の実施形態に係るデジタル放送受信装置の構成と、動作用プログラム起動方法と、ダウンロードデータ格納方法は本発明の第１の実施形態と同一である
本発明の第1の実施形態に係るデジタル放送受信装置における受信機固有の受信障害対策設定方法の説明では、選局する物理チャンネルで共通する受信障害対策設定を扱っており、図１乃至図６を参照して説明した受信障害対策設定をチャンネル共通受信障害対策設定とする。一方、本発明の第２の実施形態では、受信機固有の受信障害対策設定を受信チャンネルごとに設定する方法について、図８及び図９を参照して詳述する。以下、物理チャンネルごとに設定された受信障害対策設定を、物理チャンネル別受信障害対策設定とする。
【００６５】
図８は、受信機固有の受信障害対策設定を受信物理チャンネルごとに設定する受信障害対策設定画面の一例を示した図であり、制御部２００で制御されたＯＳＤ信号生成部２３０によってＯＳＤ表示信号が生成され、映像出力部１８０により表示される。図８における図６との差異は、物理チャンネル表示３１３が追加された点である。
【００６６】
受信障害対策設定を行う物理チャンネルの選択は、リモコン２５０による数字キーの入力やチャンネルリストからの選択などが挙げられるが、本発明の第２の実施形態においては、選択方法に左右されるものではない。
【００６７】
次に、物理チャンネル別受信障害対策用設定データを不揮発性メモリ２２０に書き込む場合の動作について、図８を参照して説明する。図８では、項番列３０２のＮｏ．１行においてレジスタアドレス“０ｘ８２”と設定データ“０ｘ４２”が入力されている状態である。次にカーソルを全設定データ書き込みボタン３１１に合わせて決定キーを押すことにより、制御部２００は、復調・誤り訂正部１２０に対する物理チャンネル別受信障害対策用設定データとして、レジスタアドレス“０ｘ８２”と設定データ“０ｘ４２”の一組のデータを不揮発性メモリ２２０の設定データ格納領域２２４に書き込む。ここで設定される物理チャンネル別受信障害対策用設定データは、デジタル放送受信装置１００が設置された個別の環境に応じて発生する受信障害を解消するための受信障害対策用設定データである。
【００６８】
以上のように構成されたデジタル放送受信装置において、電源起動時に行う復調・誤り訂正部１２０の初期化処理手順と初期化後の選局手順について、図９を参照して説明する。
【００６９】
図９は、本発明の第２の実施形態に係るデジタル放送受信装置において、電源起動時に行う復調・誤り訂正部１２０の初期化処理手順と初期化後の選局手順を説明するためのフローチャートである。
【００７０】
まず、ステップＳ５００においてデジタル放送受信装置１００の電源が起動されると、制御部２００においてブート用プログラムが実行され、第１のプログラム格納領域または第２のプログラム格納領域に格納されている動作用プログラムが実行される。この動作用プログラムによって、デジタル放送受信装置１００の動作が開始され、ステップＳ５０１に進む。以下では、第１のプログラム格納領域に格納されている動作用プログラム（以下、第１の動作プログラム）で動作しているものとして説明する。
【００７１】
ステップＳ５０１において制御部２００は、復調・誤り訂正部１２０のレジスタの初期値を設定し、ステップＳ５０２に進む。ステップＳ５０１において復調・誤り訂正部１２０に設定する初期値は、復調・誤り訂正部１２０がハードウェアリセットなどによって自動的に設定されるレジスタ初期値と、第１の動作プログラムで記述された復調・誤り訂正部１２０に対する初期値を意味する。
【００７２】
ステップＳ５０２において制御部２００は、不揮発性メモリ２２０の設定データ格納領域２２４に、チャンネル共通受信障害対策用設定データが存在するか否かを判定し、存在する場合はステップＳ５０３に進み、存在しない場合はステップＳ５０５に進む。
【００７３】
ステップＳ５０３において制御部２００は、不揮発性メモリ２２０の設定データ格納領域２２４からチャンネル共通受信障害対策用設定データを取得し、ステップＳ５０４に進む。ステップＳ５０４において制御部２００は、前記チャンネル共通受信障害対策用設定データを復調・誤り訂正部１２０のレジスタに設定し、ステップＳ５０５に進む。このステップＳ５０４により、ステップＳ５０１で設定された復調・誤り訂正部１２０の初期値に対して上書きすることとなる。
【００７４】
次に、ステップS５０５において制御部２００は、復調・誤り訂正部１２０の全レジスタに設定されてある設定値を取得し、ステップS５０６に進む。ステップＳ５０６において制御部２００は、取得した設定値を不揮発性メモリに初期化時設定データとして書き込み、ステップＳ５０７に進む。
【００７５】
次に、ステップＳ５０７において制御部２００は、所望の物理チャンネルに応じた選局データを選局部１１０に対して設定し、ステップＳ５０８に進む。ここで選局する物理チャンネルを“Ｎ”、選局されていた物理チャンネルを“Ｎ’”とする。但し、初期化時においてＮ’は空白である。
【００７６】
次に、ステップＳ５０８において制御部２００は、不揮発性メモリ２２０の設定データ格納領域２２４に、物理チャンネルＮ’に対する物理チャンネル別受信障害対策用設定データが存在するか否かを判定し、存在する場合はステップＳ５０９に進み、存在しない場合はステップＳ５１０に進む。仮に、初期化以外の選局動作において、物理チャンネルＮ’が選局されている状態で、物理チャンネルＮ’に対する物理チャンネル別受信障害対策用設定データが存在する場合、既に復調・誤り訂正部１２０に対して物理チャンネル別受信障害対策用設定データが設定されているため、初期化時設定データに戻す必要がある。そこで、ステップＳ５０９において制御部２００は、ステップＳ５０５において取得した初期化時設定データから、物理チャンネル別受信障害対策用設定データの対象レジスタの設定値を取得し、ステップＳ５１０に進む。ステップＳ５１０において制御部２００は、復調・誤り訂正部１２０の対象レジスタに対して初期化時設定データを書き込み、ステップＳ５１１に進む。
【００７７】
次に、ステップＳ５１１において制御部２００は、不揮発性メモリ２２０の設定データ格納領域２２４に、物理チャンネルＮに対する物理チャンネル別受信障害対策用設定データが存在するか否かを判定し、存在する場合はステップＳ５１２に進み、存在しない場合はステップＳ５１４に進む。
【００７８】
次に、ステップＳ５１２において制御部２００は、不揮発性メモリ２２０の設定データ格納領域２２４から物理チャンネル別受信障害対策用設定データを取得し、ステップＳ５１３に進む。ステップＳ５１３において制御部２００は、前記物理チャンネル別受信障害対策用設定データを復調・誤り訂正部１２０のレジスタに設定し、ステップＳ５１４に進む。
【００７９】
ステップＳ５１４において制御部２００は、復調・誤り訂正部１２０に対して復調処理を開始するための復調リセット処理を実行し、ステップＳ５１５に進む。ステップＳ５１５において制御部２００はデマルチプレクサ１３０に対して映像と音声のＰＩＤを指示し、映像デコーダ１５０と音声デコーダ１４０でのデコードを開始させる。そして、次にチャンネルアップやチャンネルダウンなどの選局指示があった場合には、制御部２００はステップＳ５０８から処理を開始する。
【００８０】
以上のように、本発明の第２の実施形態に係るデジタル放送受信装置では、デジタル放送受信装置が設置された個別の環境に応じて発生する受信障害を解消するための復調・誤り訂正部に対する受信障害対策用設定データを全チャンネル共通と受信する物理チャンネル個別とに分けて設定でき、プログラムダウンロードによっても書き換えられない受信障害対策を行うことを可能にするデジタル放送受信装置を提供することができる。
【実施例３】
【００８１】
以下、本発明の第３の実施形態について、図１乃至図６と図１０を参照して詳述する。本発明の実施形態に係るデジタル放送受信装置の構成と、動作用プログラム起動方法と、ダウンロードデータ格納方法と、受信機固有の受信障害対策設定方法は、本発明の第１の実施形態と同一である。
【００８２】
本発明の第１の実施形態では、プログラムダウンロードによっても書き換えられない受信障害対策用設定データを設定していたが、プログラムダウンロードによって最適な受信障害対策用設定データが指定されている場合には、指定されたデータを設定するようにした方が性能改善が見込める。
【００８３】
そこで、本発明の第３の実施形態では、プログラムダウンロードによって最適な受信障害対策用設定データが指定されている場合には、指定されたデータを強制的に設定するようにする。
【００８４】
以上のように構成されたデジタル放送受信装置において、電源起動時に行う復調・誤り訂正部１２０の初期化処理手順について、図１０を参照して説明する。
【００８５】
図１０は、本発明の第３の実施形態に係るデジタル放送受信装置において、電源起動時に行う復調・誤り訂正部１２０の初期化処理手順を説明するためのフローチャートである。
【００８６】
まず、ステップＳ４００においてデジタル放送受信装置１００の電源が起動されると、制御部２００においてブート用プログラムが実行され、第１のプログラム格納領域または第２のプログラム格納領域に格納されている動作用プログラムが実行される。この動作用プログラムによって、デジタル放送受信装置１００の動作が開始され、ステップＳ４０１に進む。以下では、第１のプログラム格納領域に格納されている動作用プログラム（以下、第１の動作プログラム）で動作しているものとして説明する。
【００８７】
ステップＳ４０１において制御部２００は、復調・誤り訂正部１２０のレジスタの初期値を設定し、ステップＳ４０２に進む。ステップＳ４０１において復調・誤り訂正部１２０に設定する初期値は、復調・誤り訂正部１２０がハードウェアリセットなどによって自動的に設定されるレジスタ初期値と、第１の動作プログラムで記述された復調・誤り訂正部１２０に対する初期値を意味する。ここでは、「レジスタアドレス“０ｘ００”に対して設定データ“０ｘ０４”」と、「レジスタアドレス“０ｘ６７”に対して設定データ“０ｘ２０”」と、「レジスタアドレス“０ｘ７５”に対して設定データ“０ｘＣ２”」の三組の初期値が設定されるものとする。
【００８８】
ステップＳ４０２において制御部２００は、不揮発性メモリ２２０の設定データ格納領域２２４に、受信障害対策用設定データが存在するか否かを判定し、存在する場合はステップＳ４０３に進み、存在しない場合はステップＳ４０５に進む。
【００８９】
ステップＳ４０３において制御部２００は、不揮発性メモリ２２０の設定データ格納領域２２４から受信障害対策用設定データを取得し、ステップＳ４０４に進む。ステップＳ４０４において制御部２００は、前記受信障害対策用設定データを復調・誤り訂正部１２０のレジスタに設定し、ステップＳ４０５に進む。このステップＳ４０４により、ステップＳ４０１で設定された復調・誤り訂正部１２０の初期値に対して上書きすることとなる。ここでは、受信障害対策用設定データが「レジスタアドレス“０ｘ００”に対して設定データ“０ｘ０８”」と、「レジスタアドレス“０ｘ６７”に対して設定データ“０ｘ８０”」の二組であったとする。
【００９０】
ステップ４０５において制御部２００は、第１の動作プログラムに指定された復調・誤り訂正部１２０に対する受信障害対策用設定データがあれば、これを、復調・誤り訂正部１２０のレジスタに強制的に上書きするように設定し、ステップＳ４０６に進む。ここでは、強制上書きされた設定データが「レジスタアドレス“０ｘ６７”に対して設定データ“０ｘ８２”」であったとする。
【００９１】
ここまでのステップにより、復調・誤り訂正部１２０には、「レジスタアドレス“０ｘ００”に対して設定データ“０ｘ０８”」と、「レジスタアドレス“０ｘ６７”に対して設定データ“０ｘ８２”」と、「レジスタアドレス“０ｘ７５”に対して設定データ“０ｘＣ２”」の三組のデータが設定されていることとなる。
【００９２】
次に、ステップＳ４０６において制御部２００は、所望の物理チャンネルに応じた選局データを選局部１１０に対して設定し、ステップＳ４０７に進む。ステップＳ４０７において制御部２００は、復調・誤り訂正部１２０に対して復調処理を開始するための復調リセット処理を実行し、ステップＳ４０８に進む。ステップＳ４０８において制御部２００はデマルチプレクサ１３０に対して映像と音声のＰＩＤを指示し、映像デコーダ１５０と音声デコーダ１４０でのデコードを開始させる。そして、次にチャンネルアップやチャンネルダウンなどの選局指示があった場合には、制御部２００はステップＳ４０６から処理を開始する。以上のように、本発明の第３の実施形態に係るデジタル放送受信装置では、デジタル放送受信装置が設置された個別の環境に応じて発生する受信障害を解消するための復調・誤り訂正部に対する受信障害対策用設定データを設定し、プログラムダウンロードによっても書き換えられない受信障害対策を行うことを可能にするデジタル放送受信装置を提供することができる。更に、本発明の第３の実施形態に係るデジタル放送受信装置では、個別の受信障害対策データに対して初期化で更に上書きするステップを設けることにより、全家庭に遍く適用すべき設定を可能とするデジタル放送受信装置を提供することができる。
【図面の簡単な説明】
【００９３】
【図１】本発明の実施形態に係るデジタル放送受信装置の概略を示すブロック図である。
【図２】本発明の実施形態に係るデジタル放送受信装置における不揮発性メモリの記憶領域を模式的に表した説明図である。
【図３】本発明の実施形態に係るデジタル放送受信装置における受信障害対策設定画面の一例を示した図であり、個別設定データを復調・誤り訂正部に一時的に適用する場合の動作を説明するための図である。
【図４】本発明の実施形態に係るデジタル放送受信装置における受信障害対策設定画面の一例を示した図であり、復調・誤り訂正部から個別設定データを取得する場合の動作を説明するための図である。
【図５】本発明の実施形態に係るデジタル放送受信装置における受信障害対策設定画面の一例を示した図であり、復調・誤り訂正部から設定データを取得する場合の動作、及び、受信障害対策用設定データを不揮発性メモリに書き込む場合の動作、及び、個別設定データを削除する場合の動作を説明するための図である。
【図６】本発明の実施形態に係るデジタル放送受信装置における受信障害対策設定画面の一例を示した図であり、不揮発性メモリから受信障害対策用設定データを読み出す場合の動作、及び、個別設定データを削除する場合の動作を説明するための図である。
【図７】本発明の第1の実施形態に係るデジタル放送受信装置において、電源起動時に行う復調・誤り訂正部の初期化処理手順と初期化後の選局手順を説明するためのフローチャートである。
【図８】本発明の第２の実施形態に係るデジタル放送受信装置におけるチャンネル別受信障害対策設定画面の一例を示した図である。
【図９】本発明の第２の実施形態に係るデジタル放送受信装置において、電源起動時に行う復調・誤り訂正部の初期化処理手順と初期化後の選局手順を説明するためのフローチャートである。
【図１０】本発明の第２の実施形態に係るデジタル放送受信装置において、電源起動時に行う復調・誤り訂正部の初期化処理手順と初期化後の選局手順を説明するためのフローチャートである。
【符号の説明】
【００９４】
１００…デジタル放送受信機
１０１…受信アンテナ
１１０…選局部
１２０…復調・誤り訂正部
１３０…デマルチプレクサ
１４０…音声デコーダ
１５０…映像デコーダ
１６０…映像信号合成部
１７０…音声信号出力部
１８０…映像信号出力部
１９０…ダウンロードデータ取得部
２００…制御部
２１０…制御バス
２２０…不揮発性メモリ
２２１…ブート用プログラム格納領域
２２２…第１のプログラム格納領域
２２３…第２のプログラム格納領域
２２４…設定データ格納領域
２３０…ＯＳＤ信号生成部
２４０…リモコン受光部
２５０…リモコン
２６０…外部記録媒体Ｉ／Ｆ部
２７０…外部記録媒体
２８０…ネットワークＩ／Ｆ部
３００…受信障害対策設定画面
３０１…デバイス選択表示
３０２…項番列
３０３…レジスタアドレス列
３０４…設定データ列
３０５…設定データ送信ボタン列
３０６…設定データ受信ボタン列
３０７…設定削除ボタン列
３０８…個別設定データ送信ボタン
３０９…個別設定データ受信ボタン
３１０…個別設定削除ボタン
３１１…全設定データ書き込みボタン
３１２…全設定データ読み出しボタン
３１３…物理チャンネル表示
プログラム格納領域設定データ格納領域
【図１】
2010166192.tif 000003
【図２】
2010166192.tif 000004
【図３】
2010166192.tif 000005
【図４】
2010166192.tif 000006
【図５】
2010166192.tif 000007
【図６】
2010166192.tif 000008
【図７】
2010166192.tif 000009
【図８】
2010166192.tif 000010
【図９】
2010166192.tif 000011
【図１０】
2010166192.tif 000012